(57)【要約】【課題】台座と、この台座を回動させるための駆動手段とを廃止して部品点数を削減しても、羽根が吹出し口から出し入れされることができる空気調和機を得る。【解決手段】吹出し口２に設けられ、ファン５により発生する風の方向を偏向させて制御する左右風向制御装置７を備え、左右風向制御装置７は、吹出し口２に設けられた、左右羽根回転軸９ａを中心に回動して、風の方向を左右方向に偏向させる複数の左右羽根９と、吹出し口２を区画する底面２ａに設けられた、左右羽根回転軸９ａが摺動する複数のスライド溝１０と、左右羽根９に連結され、左右羽根９を回動させるとともに左右羽根回転軸９ａを摺動させる駆動手段とを有し、風の方向を一方向に偏向させる際に、左右羽根９が左右羽根回転軸９ａを中心に回動し、左右羽根回転軸９ａがスライド溝１０に沿って摺動し、左右羽根９が吹出し口２から出し入れされる。【選択図】図２
2009168335.tif 000002
【特許請求の範囲】
【請求項１】
吹出し口に設けられ、ファンにより発生する風の方向を偏向させて制御する風向制御装置を備え、
前記風向制御装置は、
前記吹出し口に設けられ、羽根回転中心部を中心に回動して、前記風の方向を一方向に偏向させる複数の羽根と、
前記吹出し口を区画する壁に設けられ、前記羽根が前記吹出し口から出し入れされるように前記羽根回転中心部が摺動して案内される、それぞれの前記羽根回転中心部に対応した複数の第１の軸受と、
前記羽根に連結され、前記羽根を回動させるとともに前記羽根回転中心部を摺動させ、隣接した前記羽根を連結した羽根リンク棒を含んだ駆動手段とを有し、
前記風の方向を一方向に偏向させる際に、前記駆動手段を作動させて、前記羽根が前記羽根回転中心部を中心に回動するとともに、前記羽根回転中心部が前記第１の軸受に沿って摺動して、前記羽根が前記吹出し口から出し入れされることを特徴とする空気調和機。
【請求項２】
前記羽根は、所定の回動角度を境にして、前記第１の軸受に沿った摺動を開始または停止することを特徴とする請求項１に記載の空気調和機。
【請求項３】
前記羽根または前記羽根リンク棒には、前記壁に向かって延びた突起が設けられ、
前記壁には、前記羽根が所定の回動角度となるように前記突起が摺動して案内される第２の軸受が設けられていることを特徴とする請求項２に記載の空気調和機。
【請求項４】
前記第２の軸受は、前記突起が前記風の方向に沿って直線状に摺動する直線部と、前記直線部に連続して設けられた、前記突起が円弧状に摺動する円弧部とから構成されていることを特徴とする請求項３に記載の空気調和機。
【請求項５】
前記第１の軸受けおよび前記第２の軸受の少なくとも一方は、前記吹出し口に形成された溝であることを特徴とする請求項３または請求項４に記載の空気調和機。
【発明の詳細な説明】
【技術分野】
【０００１】
この発明は、ファンにより発生する風の方向を偏向させて制御する風向制御装置を備えた空気調和機に関する。
【背景技術】
【０００２】
従来、吹出し口に設けられ、ファンにより発生する風の方向を上下方向および左右方向へ偏向可能な風向制御装置を備えた空気調和機において、前記風向偏向手段は、前記吹出し口に設けられた、上下羽根回転軸を中心に回動して前記風の方向を上下方向に偏向させる上下羽根と、前記吹出し口に左右方向に並べて設けられた、左右羽根回転軸を中心に回動して前記風の方向を左右方向に偏向させる複数の左右羽根と、前記吹出し口の底面に台座回転軸を中心に回動可能に設けられた、前記左右羽根回転軸を回動可能に支持した台座とを有し、前記風の方向を左右方向に偏向させる際に、前記左右羽根が前記左右羽根回転軸を中心に回動するとともに、前記台座が前記台座回転軸を中心に回動する空気調和機が知られている（例えば、特許文献１参照）。
【０００３】
【特許文献１】特開２００２−１０６９５０号公報
【発明の開示】
【発明が解決しようとする課題】
【０００４】
しかしながら、このものの場合、左右羽根を吹出し口から出し入れするために、台座と、この台座を回動させるための駆動手段とが必要であるので部品点数が多くなるというという問題点があった。
【０００５】
この発明は、上述のような問題点を解決することを課題とするものであって、その目的は、台座を廃止して部品点数を削減しても、左右羽根を吹出し口から出し入れすることができる等の空気調和機を提供するものである。
【課題を解決するための手段】
【０００６】
この発明に係る空気調和機は、吹出し口に設けられ、ファンにより発生する風の方向を偏向させて制御する風向制御装置を備え、前記風向制御装置は、前記吹出し口に設けられ、羽根回転中心部を中心に回動して、前記風の方向を一方向に偏向させる複数の羽根と、前記吹出し口を区画する壁に設けられ、前記羽根が前記吹出し口から出し入れされるように前記羽根回転中心部が摺動して案内される、それぞれの前記羽根回転中心部に対応した複数の第１の軸受と、前記羽根に連結され、前記羽根を回動させるとともに前記羽根回転中心部を摺動させ、隣接した前記羽根を連結した羽根リンク棒を含んだ駆動手段とを有し、前記風の方向を一方向に偏向させる際に、前記駆動手段を作動させて、前記羽根が前記羽根回転中心部を中心に回動するとともに、前記羽根回転中心部が前記第１の軸受に沿って摺動して、前記羽根が前記吹出し口から出し入れされる。
【発明の効果】
【０００７】
この発明に係る空気調和機によれば、羽根の羽根回転中心部が吹出し口を区画する壁に設けられた第１の軸受に沿って摺動可能であるので、台座と、この台座を回動させるための駆動手段とを廃止して部品点数を削減しても、羽根が吹出し口から出し入れされることができる。
【発明を実施するための最良の形態】
【０００８】
以下、この発明の各実施の形態を図に基づいて説明するが、各図において、同一または相当の部材、部位については、同一符号を付して説明する。
各実施の形態では、図１（ａ）の矢印Ａの方向を上下方向、矢印Ｂの方向を前後方向、紙面に垂直な方向を左右方向と呼ぶ。
実施の形態１．
図１（ａ）はこの実施の形態に係る空気調和機の室内機を示す断面図、図２は図１（ａ）の左右風向制御装置７と吹出し口２の底面２ａとを示す斜視図である。
この実施の形態に係る空気調和機は、外部から空気を吸い込む吸込み口１と、この吸込み口１から外部へ空気を吹き出す吹出し口２と、吸込み口１と吹出し口２とを連通した送風路３とが形成されたケース４を備えている。
また、この空気調和機は、送風路３の内部に設けられた、風を発生させるファン５と、吸込み口１とファン５との間に設けられた、吸い込まれた空気と熱交換を行う熱交換器６と、吹出し口２に設けられた、風の方向を一方向である左右方向に偏向させて制御する左右風向制御装置７と、吹出し口２に設けられた、風の方向を左右方向に垂直な他方向である上下方向に偏向させて制御する上下風向制御装置８とを備えている。
【０００９】
左右風向制御装置７は、羽根回転中心部である左右羽根回転軸９ａを中心に回動する複数の左右羽根９を有し、左右羽根回転軸９ａは、先端部が吹出し口２を区画する壁である底面２ａに形成された、それぞれの左右羽根回転軸９ａに一対一対応した複数の第１の軸受であるスライド溝１０に摺動可能となっている。
左右羽根９の上流側端部には、吹出し口２の底面２ａに向かって延びた突起であるガイド軸９ｂが形成されており、このガイド軸９ｂは、先端部が吹出し口２の底面２ａに形成された第２の軸受であるガイド溝１１に摺動可能となっている。
複数の左右羽根９は、吹出し口２の左右方向に並べられており、それぞれの左右羽根９は、ヒンジ１２を介して羽根リンク棒１３に連結されている。
上下風向制御装置８は、上下羽根回転軸１４ａを中心に上下方向に回動する上下羽根１４を有している。
【００１０】
図３は図１の左右風向制御装置７と吹出し口２とを示す平面図である。
吹出し口２には、左右風向制御装置７が左右方向に２組取り付けられており、それぞれの左右風向制御装置７は、吹出し口２の左右の側壁２ｂに取り付けられた、モータ回転板１５を介して羽根リンク棒１３と連結されたベーンモータ１６をさらに有している。
駆動手段は、ヒンジ１２、羽根リンク棒１３、モータ回転板１５およびベーンモータ１６から構成されており、ベーンモータ１６が駆動することにより、左右羽根９が動作する。
それぞれのスライド溝１０は、ベーンモータ１６を中心にした円弧状に形成されている。
ガイド溝１１は、上流側に形成された円弧状の小径円弧部１１ａと、下流側に形成された、隣接したスライド溝１０に沿った大径円弧部１１ｂとを含んでいる。
【００１１】
図４は図２のスライド溝１０と左右羽根回転軸９ａとを示す斜視図、図５は図４のスライド溝１０と左右羽根回転軸９ａとを示す断面図である。
左右羽根９は、左右羽根回転軸９ａの先端部に円板状に形成されたスライド板９ｃを有しており、このスライド板９ｃはスライド溝１０の中で回動および摺動が自在である。
スライド溝１０の周囲であって、左右羽根回転軸９ａが摺動する方向に沿った両側には、スライド板９ｃがスライド溝１０から外れることを防止する蓋１７が取り付けられている。
図６は図２のガイド溝１１とガイド軸９ｂとを示す断面図である。
ガイド溝１１の周囲には、ガイド軸９ｂをガイド溝１１から外れるのを防ぐための蓋は必要ない。
【００１２】
次に、この実施の形態に係る空気調和機の動作について説明する。
図７（ａ）は左右羽根９の方向をファン５による風の方向と同一にさせたときの左右風向制御装置７を示す平面図、図７（ｂ）は左右羽根９を回動させてガイド軸９ｂが小径円弧部１１ａにあるときの左右風向制御装置７を示す平面図、図７（ｃ）は左右羽根９を回動させてガイド軸９ｂが大径円弧部１１ｂにあるときの左右風向制御装置７を示す平面図である。
図７（ａ）の状態からベーンモータ１６を駆動させて、モータ回転板１５を時計回りに回転させると、羽根リンク棒１３が軸線方向の左方向へ移動する。
羽根リンク棒１３が軸線方向の左方向へ移動すると、左右羽根９がヒンジ１２を介して羽根リンク棒１３と連結されているので、図７（ｂ）に示すように、左右羽根９が時計周りに回動する。
このとき、左右羽根回転軸９ａがスライド溝１０の上流側端部に当接しているので、さらに羽根リンク棒１３を軸線方向の左方向へ移動させたとしても、ガイド軸９ｂがガイド溝１１の小径円弧部１１ａに沿って時計周りに摺動するのみで、左右羽根回転軸９ａはスライド溝１０に沿って摺動しない。その結果、左右羽根９は、時計回りに回動するだけで、移動はしない。
【００１３】
一方、図７（ａ）の状態からベーンモータ１６を駆動させて、モータ回転板１５を反時計回りに回転させると、羽根リンク棒１３が軸線方向の右方向へ移動する。
羽根リンク棒１３が軸線方向の右方向へ移動すると、左右羽根９がヒンジ１２を介して連結されているので、左右羽根９が回動して、この左右羽根９の所定の回動角度を境にして、左右羽根回転軸９ａがスライド溝１０の摺動を開始して、左右羽根９が吹出し口２の下流側へ移動し、ガイド軸９ｂ左がガイド溝１１の大径円弧部１１ｂに沿って摺動する。
すなわち、左右方向に並べられた左右羽根９は、ベーンモータ１６を中心に左右方向に傾斜を持ちながら、図７（ｃ）に示すように、吹出し口２から下流側へせり出す。
このとき、１枚の左右羽根９の一端に形成されたガイド軸９ｂの先端部は、ガイド溝１１に沿って摺動するので、吹出し口２の下流側へせり出した左右羽根９の位置と、その位置における左右羽根９の回動角度とは一意的に決定され、左右羽根９が所定の回動角度を境にして、スライド溝１０に沿った摺動を開始または停止することができる。
【００１４】
次に、この実施の形態に係る空気調和機の圧力損失について説明する。
図８（ａ）は左右羽根回転軸９ａが吹出し口２の底面２ａに摺動せずに回動自在に支持された空気調和機（従来例）を用いて左右羽根９Ａを回動させたときの空気の流れを示す説明図、図８（ｂ）はこの実施の形態に係る空気調和機を用いて左右羽根９を回動させたときの空気の流れを示す説明図である。
ここで、従来例の空気調和機における隣接した左右羽根回転軸９ａＡの間隔およびこの実施の形態に係る空気調和機における隣接した左右羽根回転軸９ａの間隔を同一の距離Ｌとしている。
【００１５】
従来例における隣接した左右羽根９Ａの間の距離をｈ１、この実施の形態における隣接した左右羽根９の間の距離をｈ２とし、左右羽根９Ａおよび左右羽根９の回動角度をθ１、左右羽根のせり出す角度をθ２とすると、ｈ１＝Ｌ×ｃｏｓθ１、ｈ２＝Ｌ×ｃｏｓ（θ１−θ２）となる。
θ１は９０度を超えることはないので、θ１＞θ２に設定すると、ｈ１＜ｈ２となる。
なお、θ１およびθ２はスライド溝１０およびガイド溝１１の寸法および形状と、ベーンモータ１６の駆動によるモータ回転板１５の回動角度によって決定される。
【００１６】
このように、この実施の形態に係る空気調和機では、左右羽根９が、従来例の空気調和機の左右羽根９Ａよりも、左右羽根９を回動させたときにおける隣接した左右羽根９の間の距離が広いので、風の方向を偏向させる際に発生する左右羽根９の間での空気の流れによる縮流が抑制され、圧力損失の増大を低減させることができる。
また、左右羽根９が吹出し口２の下流側へせり出すので、左右羽根９によって偏向された空気の流れによる吹出し口２の側壁２ｂとの衝突を低減させ、風の方向の高い偏向性を得ることができる。
また、１個のベーンモータ１６で左右羽根９の回動と摺動とを行うことができるので、モータの数を減らすことができる。
また、吹出し口２の上流側では、左右羽根９は回動するのみで吹出し口２の底面２ａを摺動しないので、左右羽根９とファン５との距離が近づきすぎることを防ぎ、その結果、騒音または圧力損失が増大することを抑制することができる。
【００１７】
図９は吹出し口２Ｂの底面２ａＢに回動可能に設けられた、左右羽根回転軸９ａＢを回動可能に支持した台座２１Ｂを備えた空気調和機（従来例）を用いて、左右羽根９Ｂを回動させたときの空気の流れを示す説明図である。
２組の左右風向制御装置７Ｂが並べて配置され、それぞれの左右風向制御装置７Ｂは、回動可能な複数の左右羽根９Ｂと、それぞれの左右羽根９Ｂを回動可能に支持した台座２１Ｂとを有している。
台座２１Ｂの中央には、底面２ａＢに向かって延びた台座回転軸２１ａＢが形成され、この台座回転軸２１ａＢを中心に回動可能となっている。
台座回転軸２１ａＢを中心に台座２１Ｂを反時計回りに回動させると、隣接した左右風向制御装置７Ｂの間の距離が広くなるので、その間を通って風が吹出し口２の下流側へ流れてしまう。その結果、左右風向制御装置７Ｂによる風向偏向性が低下してしまう。
この実施の形態に係る空気調和機によれば、スライド溝１０の形状を変えることによって、左右羽根９のせり出しパターンを自在に設定することができるので、左右羽根９を吹出し口２から下流側へ大きくせり出した場合であっても、隣接した左右風向制御装置７の間の距離を狭くすることができる。その結果、風向偏向性を飛躍的に向上させることができる。
【００１８】
以上説明したように、この実施の形態に係る空気調和機によれば、スライド溝１０に沿って左右羽根回転軸９ａが摺動することで、左右羽根９が吹出し口２から出し入れされるので、台座と、この台座を回動させるための駆動手段とを廃止して部品点数を削減しても、左右羽根９が吹出し口２から出し入れされることができ、左右羽根９による圧力損失の増大を抑制し、風の方向の高い偏向性を得ることができる。
また、台座を廃止することにより、左右風向制御装置７全体の軽量化を図ることができ、さらに、左右羽根９の回動の迅速性を向上させることができる。
また、左右風向制御装置７全体の軽量化を図ることにより、ベーンモータ１６の必要な駆動力を小さくすることができる。
【００１９】
また、左右羽根９は、所定の回動角度を境にして、左右羽根回転軸９ａによるスライド溝１０の摺動を開始または停止することができるので、左右羽根９がファン５に近づきすぎることを防ぎ、その結果、騒音または圧力損失が増大することを抑制することができる。
【００２０】
また、左右羽根９のガイド軸９ｂが、吹出し口２の底面２ａに形成されたガイド溝１１に沿って摺動するので、下流側へせり出した左右羽根９の位置と、その位置における左右羽根９の回動角度とは一意的に決定することができる。
【００２１】
また、スライド溝１０およびガイド溝１１は、吹出し口２の底面２ａに形成されているので、左右風向制御装置７を簡単な構成にすることができる。
【００２２】
なお、この実施の形態では、第１の軸受けとして、吹出し口２の底面２ａに形成されたスライド溝１０を例に説明したが、勿論このものに限らない。
図１０はこの実施の形態に係る空気調和機のスライド溝１０の他の例を示す断面図である。
第１の軸受けは、吹出し口２の底面２ａに取り付けられた、左右羽根回転軸９ａのスライド板９ｃの外周を覆う一対の受体１８であってもよい。この場合、スライド板９ｃが受体１８の内側を摺動する。
図１１はこの実施の形態に係る空気調和機のスライド溝１０のさらに他の例を示す断面図である。
吹出し口２の底面２ａには、断面Ｔ字形状のレール１９が取り付けられており、第１の軸受けは、左右羽根回転軸９ａの先端部に回転可能に取り付けられた、レール１９を摺動可能に保持した保持部２０であってもよい。
【００２３】
また、この実施の形態では、左右羽根９に形成されたガイド軸９ｂがガイド溝１１に沿って摺動する左右風向制御装置７について説明したが、勿論このものに限らない。
図１２はこの実施の形態に係る空気調和機の左右風向制御装置７の他の例を示す平面図である。
羽根リンク棒１３には、吹出し口２の底面２ａに向かって延びたガイド軸１３ａが形成され、吹出し口２の底面２ａには、ガイド軸１３ａが摺動可能なガイド溝１１が形成されている。
【００２４】
実施の形態２．
図１３はこの実施の形態に係る空気調和機の左右風向制御装置７を示す斜視図、図１４は図１３のスライド溝１０と左右羽根回転軸９ａとを示す斜視図、図１５は図１４のスライド溝１０と左右羽根回転軸９ａとを示す断面図である。
この実施の形態に係る空気調和機は、吹出し口２の底面２ａに形成されたスライド溝１０が、ファン５により発生する風の方向である吹出し口２の前後方向に沿って直線状に形成されている。
ガイド溝１１は、下流側に、スライド溝１０に沿って形成された直線状の直線部１１ｃを有している。
その他の構成は実施の形態１と同様である。
【００２５】
次に、この実施の形態に係る空気調和機の動作について説明する。
図１６はこの実施の形態に係る空気調和機の左右羽根９を反時計周りに回動させるとともに、左右羽根９が吹出し口２の下流側へせり出させた状態の左右風向制御装置７を示す平面図である。
ベーンモータ１６を駆動させ、モータ回転板１５を反時計周りに回転させて、羽根リンク棒１３を軸線方向の右方向へ移動させると、羽根リンク棒１３にヒンジ１２を介して連結された左右羽根９は、反時計周りに回動するとともに、吹出し口２の下流側へせり出す。すなわち、吹出し口２の左右方向に並列された複数の左右羽根９は、左右方向に傾斜しながら、ベーンモータ１６を中心に吹出し口２の下流側にせり出す。
【００２６】
実施の形態１に係る空気調和機は、左右羽根回転軸９ａがベーンモータ１６を中心にして吹出し口２の下流側にせり出すが、この実施の形態に係る空気調和機は、左右羽根回転軸９ａがファン５により発生する風の方向に沿って形成されたスライド溝１０に沿って摺動するので、左右羽根９はファン５により発生する風の方向に沿って吹出し口２の下流側へせり出す。
【００２７】
一方、ベーンモータ１６を駆動させ、モータ回転板１５を時計周りに回転させて、羽根リンク棒１３を軸線方向の左方向へ移動させると、左右羽根回転軸９ａはスライド溝１０に沿って吹出し口２の上流側に向かって直線状に移動する。
このとき、左右羽根９も時計周りに回動する。
左右羽根回転軸９ａがスライド溝１０の上流側端部に到達すると、左右羽根９は移動を停止し時計回りの回動を続ける。
【００２８】
次に、この実施の形態に係る空気調和機の圧力損失について説明する。
図１７（ａ）はこの実施の形態に係る空気調和機のスライド溝１０と左右羽根９との位置関係を説明する図、図１７（ｂ）は実施の形態１に係る空気調和機のスライド溝１０と左右羽根９との位置関係を説明する図である。
ここで、実施の形態１に係る空気調和機およびこの実施の形態に係る空気調和機は、それぞれの左右羽根９の方向をファン５による風の方向と同一にさせたときに、隣接した左右羽根回転軸９ａの間隔が同一の距離Ｌとなるようにしている。
実施の形態１に係る空気調和機は、吹出し口２の下流側に左右羽根９がせり出しても、隣接した左右羽根回転軸９ａの間は、距離Ｌのまま変わらない。
一方、この実施の形態に係る空気調和機は、吹出し口２の下流側に左右羽根９がせり出すと、スライド溝１０がファン５により発生する風の方向に沿って形成されているので、隣接した左右羽根回転軸９ａの間は、距離Ｌ／ｃｏｓθ２となる。
つまり、θ２が０度から９０度までであれば、隣接した左右羽根回転軸９ａの間の距離は、実施の形態１に係る空気調和機と比べて、広くなり、隣接した左右羽根９の間を通過する風の圧力損失を低減させることができる。
【００２９】
隣接した左右羽根９の下流側端部の間の距離は、羽根リンク棒１３によって固定されているので一定である。
したがって、左右羽根９が吹出し口２の下流側にせり出したときには、隣接した左右羽根回転軸９ａの間の距離が広くなるので、隣接した左右羽根９の中で、ベーンモータ１６から遠い方の左右羽根９の回動角度θ１’と、ベーンモータ１６に近い方の左右羽根９の回動角度θ１との関係は、θ１＜θ１’となる。
これにより、左右羽根９から吹き出された空気を縮流することができる。その結果、実施の形態１に係る空気調和機よりも、遠くまで空気を届けることができる。
【００３０】
以上説明したように、この実施の形態に係る空気調和機によれば、左右羽根回転軸９ａが摺動するスライド溝１０が、ファン５により発生する風の方向に沿って形成されているので、実施の形態１に係る空気調和機よりも、風の方向を偏向させる際に発生する圧力損失の増大を抑制することができる。
また、左右羽根９から吹き出される空気を縮流することができるので、風の方向を大きく偏向させることができるとともに、遠くまで空気を届けることができる。
【００３１】
なお、上記各実施の形態では、羽根を左右羽根９として説明したが、勿論このものに限らず、例えば、風の方向を上下方向に偏向させる上下羽根１４としてもよい。
【００３２】
また、上記各実施の形態では、左右風向制御装置７を、吹出し口２の底面２ａに設けたものを説明したが、図２（ｂ）に示すように吹出し口２を区画する天面２ｃに設けたものであってもよい。また、左右風向制御装置７を、吹出し口２を区画する側壁２ｂに設けて、風の方向を上下方向に偏向させてもよい。
【図面の簡単な説明】
【００３３】
【図１】図１（ａ）は実施の形態１に係る空気調和機の室内機を示す断面図、図１（ｂ）は実施の形態１に係る空気調和機の室内機の他の例を示す断面図である。
【図２】図２は図１（ａ）の左右風向制御装置と吹出し口の底面とを示す斜視図である。
【図３】図１の風向制御装置と吹出し口とを示す平面図である。
【図４】図２のスライド溝と左右羽根回転軸とを示す斜視図である。
【図５】図４のスライド溝と左右羽根回転軸とを示す断面図である。
【図６】図２のガイド溝とガイド軸とを示す断面図である。
【図７】図７（ａ）は左右羽根の方向をファンによる風の方向と同一にさせたときの左右風向制御装置を示す平面図、図７（ｂ）は左右羽根を回動させてガイド軸が小径円弧部にあるときの左右風向制御装置を示す平面図、図７（ｃ）は左右羽根を回動させてガイド軸が大径円弧部にあるときの左右風向制御装置を示す平面図である。
【図８】図８（ａ）は左右羽根回転軸が吹出し口の底面に摺動せずに回動自在に支持された空気調和機（従来例）を用いて左右羽根を回動させたときの空気の流れを示す説明図、図８（ｂ）は実施の形態１に係る空気調和機を用いて左右羽根を回動させたときの空気の流れを示す説明図である。
【図９】吹出し口の底面に回動可能に設けられた、左右羽根回転軸を回動可能に支持した台座を備えた空気調和機（従来例）を用いて、左右羽根を回動させたときの空気の流れを示す説明図である。
【図１０】実施の形態１に係る空気調和機のスライド溝の他の例を示す断面図である。
【図１１】実施の形態１に係る空気調和機のスライド溝のさらに他の例を示す断面図である。
【図１２】実施の形態１に係る空気調和機の左右風向制御装置の他の例を示す平面図である。
【図１３】実施の形態２に係る空気調和機の左右風向制御装置を示す斜視図である。
【図１４】図１３のスライド溝と左右羽根回転軸とを示す斜視図である。
【図１５】図１４のスライド溝と左右羽根回転軸とを示す断面図である。
【図１６】実施の形態２に係る空気調和機の左右羽根を反時計回りに回動させるとともに、左右羽根が吹出し口の下流側へせり出した状態の左右風向制御装置を示す平面図である。
【図１７】図１７（ａ）は実施の形態２に係る空気調和機のスライド溝と左右羽根との位置関係を説明する図、図１７（ｂ）は実施の形態１に係る空気調和機のスライド溝と左右羽根との位置関係を説明する図である。
【符号の説明】
【００３４】
１  吸込み口、２  吹出し口、２ａ  底面（壁）、２ｂ  側壁、２ｃ  天面、３  送風路、４  ケース、５  ファン、６  熱交換器、７  左右風向制御装置、８  上下風向制御装置、９  左右羽根、９ａ  左右羽根回転軸（羽根回転中心部）、９ｂ  ガイド軸（突起）、９ｃ  スライド板、１０  スライド溝（第１の軸受）、１１  ガイド溝（第２の軸受）、１１ａ  小径円弧部、１１ｂ  大径円弧部、１２  ヒンジ、１３  羽根リンク棒、１４  上下羽根、１４ａ  上下羽根回転軸、１５  モータ回転板、１６  ベーンモータ、１７  蓋、１８  受体、１９  レール、２０  保持部。
【図１】
2009168335.tif 000003
【図２】
2009168335.tif 000004
【図３】
2009168335.tif 000005
【図４】
2009168335.tif 000006
【図５】
2009168335.tif 000007
【図６】
2009168335.tif 000008
【図７】
2009168335.tif 000009
【図８】
2009168335.tif 000010
【図９】
2009168335.tif 000011
【図１０】
2009168335.tif 000012
【図１１】
2009168335.tif 000013
【図１２】
2009168335.tif 000014
【図１３】
2009168335.tif 000015
【図１４】
2009168335.tif 000016
【図１５】
2009168335.tif 000017
【図１６】
2009168335.tif 000018
【図１７】
2009168335.tif 000019